(57)【要約】【課題】  管理者及び会員に対して大きな負担を強いることなく会員が販売する商品・役務の情報を効率良く掲載することが可能な商品・役務紹介システムを提供すること。【解決手段】  会員登録サイト、商品・役務紹介サイトと、を具備し、上記会員登録サイトにおいて登録された会員が提供されたソフトを使用して作成した自身の商品・役務を説明する商品・役務紹介データ受信する商品・役務紹介データ受信手段と、上記商品・役務紹介データ受信手段によって受信された商品・役務紹介データに所定の情報処理を施して上記商品・役務紹介サイトにおいて掲載できる所定の形式に変換するデータ処理手段と、上記データ処理手段によって処理された商品・役務紹介データを上記商品・役務紹介サイト掲載する商品・役務紹介データ掲載手段と、を具備したもの。【選択図】  図１
2008257373.tif 000002
【特許請求の範囲】
【請求項１】
インターネット上において会員登録を行うとともに登録後に会員が自身の販売する商品・役務を説明するデータを作成するためのソフトが提供される会員登録サイト、上記会員登録サイトにおいて登録された会員が提供されたソフトを使用して作成した自身の商品・役務を紹介する商品・役務紹介データを受信して該受信した商品・役務紹介データに所定の情報処理を施して所定の形式でサイトに掲載する商品・役務紹介サイトと、を具備し、
上記会員登録サイトにおいて登録された会員が提供されたソフトを使用して作成した自身の商品・役務を説明する商品・役務紹介データ受信する商品・役務紹介データ受信手段と、
上記商品・役務紹介データ受信手段によって受信された商品・役務紹介データに所定の情報処理を施して上記商品・役務紹介サイトにおいて掲載できる所定の形式に変換するデータ処理手段と、
上記データ処理手段によって処理された商品・役務紹介データを上記商品・役務紹介サイト掲載する商品・役務紹介データ掲載手段と、  
を具備したことを特徴とする商品・役務紹介システム。
【請求項２】
請求項１記載の商品・役務紹介システムにおいて、
上記商品・役務紹介サイトは管理者が管理するブログサイトであることを特徴とする商品・役務紹介システム。
【発明の詳細な説明】
【技術分野】
【０００１】
本発明は、予め登録されている会員が自身が販売する商品や役務の内容を、例えば、管理者のブログ上に自動的に掲載して紹介することを可能にする商品・役務紹介システムに係り、特に、管理者が会員に予め提供したソフトに沿って会員が作成した商品・役務紹介データを管理者が受信することにより所定の情報処理が自動的になされて管理者のブログサイトに自動的に掲載することを可能にしたものに関する。
【背景技術】
【０００２】
昨今、インターネットを利用して各種商品・役務の紹介が行われている。例えば、各種商品・役務を提供する業者が自身のホームページやブログサイトを所有・管理し、そこに自身が提供する商品・役務の紹介記事を掲載するものである。
【０００３】
又、それとは別に次のようなシステムがある。まず、ホームページ或いはブログサイトを管理する管理者がいる。一方、この管理者に対して予め登録している複数の会員がいる。各会員は管理者に対して自身の販売する商品・役務の情報を提供して、管理者が所有するホームページ或いはブログサイト上に掲載してもらうものである。
【発明の開示】
【発明が解決しようとする課題】
【０００４】
上記従来の構成によると次のような問題があった。
まず、最初の従来例の場合であるが、この場合は、各業者が自身のホームページやブログサイトを所有して管理しなければならず、面倒であるという問題があった。特に、掲載内容を変更する場合には煩雑な作業を余儀なくされることになり、結局、掲載内容の変更が遅れてしまうという問題があった。
又、次の従来例の場合には、自身のホームページやブログサイトを所有して管理しなければならないという煩雑さからは開放されるものの、新たに掲載する内容を書面或いは口頭で管理者に伝達しなければならず煩雑であった。
【０００５】
本発明はこのような点に基づいてなされたものでその目的とするところは、管理者及び会員に対して大きな負担を強いることなく会員が販売する商品・役務の紹介情報を効率良く掲載することを可能にする商品・役務紹介システムを提供することにある。
【０００６】
尚、本願に関係すると思われるものとして、例えば、特許文献１がある。
【特許文献１】特許第３２８０６６１号公報
【課題を解決するための手段】
【０００７】
上記目的を達成するべく本願の請求項１による商品・役務紹介システムは、インターネット上において会員登録を行うとともに登録後に会員が自身の販売する商品・役務を説明するデータを作成するためのソフトが提供される会員登録サイト、上記会員登録サイトにおいて登録された会員が提供されたソフトを使用して作成した自身の商品・役務を紹介する商品・役務紹介データを受信して該受信した商品・役務紹介データに所定の情報処理を施して所定の形式でサイトに掲載する商品・役務紹介サイトと、を具備し、上記会員登録サイトにおいて登録された会員が提供されたソフトを使用して作成した自身の商品・役務を説明する商品・役務紹介データ受信する商品・役務紹介データ受信手段と、
上記商品・役務紹介データ受信手段によって受信された商品・役務紹介データに所定の情報処理を施して上記商品・役務紹介サイトにおいて掲載できる所定の形式に変換するデータ処理手段と、上記データ処理手段によって処理された商品・役務紹介データを上記商品・役務紹介サイト掲載する商品・役務紹介データ掲載手段と、を具備したことを特徴とするものである。
又、請求項２による商品・役務紹介システムは、請求項１記載の商品・役務紹介システムにおいて、上記商品・役務紹介サイトは管理者が管理するブログサイトであることを特徴とするものである。
【発明の効果】
【０００８】
以上述べたように本願の請求項１による商品・役務紹介システムは、インターネット上において会員登録を行うとともに登録後に会員が自身の販売する商品・役務を説明するデータを作成するためのソフトが提供される会員登録サイト、上記会員登録サイトにおいて登録された会員が提供されたソフトを使用して作成した自身の商品・役務を紹介する商品・役務紹介データを受信して該受信した商品・役務紹介データに所定の情報処理を施して所定の形式でサイトに掲載する商品・役務紹介サイトと、を具備し、上記会員登録サイトにおいて登録された会員が提供されたソフトを使用して作成した自身の商品・役務を説明する商品・役務紹介データ受信する商品・役務紹介データ受信手段と、上記商品・役務紹介データ受信手段によって受信された商品・役務紹介データに所定の情報処理を施して上記商品・役務紹介サイトにおいて掲載できる所定の形式に変換するデータ処理手段と、上記データ処理手段によって処理された商品・役務紹介データを上記商品・役務紹介サイト掲載する商品・役務紹介データ掲載手段と、を具備した構成になっているので、まず、予め会員登録している複数の会員が、管理者から予め提供されているソフトを利用して、自身の商品や役務を紹介するデータを作成して、それを
管理者に送信するだけで、後は、自動的に情報処理されてサイトに掲載されることになり、会員にとっては極めて好都合である。すなわち、自身でホームページやブログを管理する煩雑さから開放されるとともに、必要な宣伝は管理者のブログサイトを使用して容易に行えるからである。
又、請求項２による商品・役務紹介システムは、請求項１記載の商品・役務紹介システムにおいて、上記商品・役務情報提供サイトはブログであるの単一のブログサイトに様々なユーザの情報を掲載することができ、これを利用する利用者の便宜を図ることができる。
【発明を実施するための最良の形態】
【０００９】
以下、図１乃至図７を参照して本発明の一実施の形態を説明する。図１は本実施の形態による商品・役務紹介システムの全体の構成を示すブロック図であり、まず、複数のユーザ端末１がある。これら複数のユーザ端末１はインターネット網３を介して管理者のサーバ５に接続されている。又、上記サーバ５には管理者が管理しているブログサイト７が接続されている。
【００１０】
上記ユーザ端末１は図２に示すような構成になっている。まず、ｔｘｔデータ作成部１１があり、又、画像データ作成部１３がある。ユーザはこれらｔｘｔデータ作成部１１と画像データ作成部１３によって、自身の商品や役務を紹介するための商品・役務紹介データを作成する。その作成された商品・役務紹介データはｔｘｔデータ作成部１１があり、又、画像データ作成部１３に入力される。そして、この送信ファイル作成部１５及びインターネット網３を介してすでに説明した管理者のサーバ５に送信されることになる。
尚、上記ｔｘｔデータ作成部１１、画像データ作成部１３、送信ファイル作成部１５等からなるソフトは、インターネット上において管理者が主催する会員登録サイトを介して会員に予め配布されているものである。
【００１１】
一方、上記サーバ５側は図３に示すような構成になっている。まず、ルータ２１があり、次いで、アクセス制御部２３がある。又、データ解析部２５があり、このデータ解析部２５は、受信ファイル読込部２７、受信ファイル分析部２９、受信ファイル変換部３１とから構成されている。ユーザ端末１側から送られてきた商品・役務紹介データは、上記ルータ２１及びアクセス制御部２３を介してデータ解析部２５に入力される。このデータ解析部２５によって変換ファイルが作成され、変換ファイル送信部３３に出力される。この変換ファイル送信部３３からブログサイト７に対して所定の変換ファイルが出力されることになる。上記受信ファイル分析部２９は、一時ファイル３０との間でデータの授受を行うとともに分析結果を保存ファイル３２に保存するものである。
【００１２】
以上の構成を基に図４乃至図６のフローチャートを参照してその作用を説明する。図４に示すように、まず、ユーザ端末１側からのメールを取り込む（ステップＳ１）。次に、ステップＳ２に移行して取り込んだメールの解析（例えば、フォーマットチェック）を行う。次に、ステップＳ３に移行して、メールの解析に成功したか否かを判別する。メールの解析に失敗した場合には、図５に示すように、そのまま終了する。これに対して、メールの解析に成功した場合には、ステップＳ４に移行する。このステップＳ４では、送信元の取得、すなわち、ユーザの特定を行う。
【００１３】
次に、ステップＳ５に移行する。このステップＳ５において、送信元の取得に成功したか否かを判別する。送信元の取得に失敗した場合にはそのまま終了する。これに対して、送信元の取得に成功した場合には、ステップＳ６に移行して、送信日の取得が行われる。次いで、ステップＳ７に移行して、件名の取得か実行される。次に、ステップＳ８に移行して、件名が空であるか否かが判別される。件名が空であると判別された場合には、ステップＳ９に移行して、件名に「件名がありません」をセットする。これに対して、件名がある場合にはステップＳ１０に移行する。
【００１４】
ステップＳ１０では、マルチパートメールか否かが判別される。マルチパートメールであると判別された場合には、ステップＳ１１に移行する。このステップＳ１１においてマルチパートデコード関数の呼び出しが実行される。次いで、ステップＳ１２に移行して、ＨＴＭＬの本文があるか否かの判別が実行される。ＨＴＭＬの本文があると判別された場合にはステップＳ１３に移行して、ＨＴＭＬの本文の取得が実行される。これに対して、ＨＴＭＬ本文がないと判別された場合は、ステップＳ１４に移行して、テキストの本文の取得が実行される。一方、ステップＳ１０において、マルチパートメールではないと判別された場合には、ステップＳ１５に移行して、メール本文の取得が実行される。
【００１５】
次に、図５に示すように、ステップＳ１６に移行する。このステップＳ１６では、スパムであるか否かが判別される。スパムであると判別された場合には、そのまま終了となる。スパムでないと判別された場合には、ステップＳ１７に移行する。ステップＳ１７においては、添付ファイルがあるか否かが判別される。添付ファイルがあると判別された場合には、ステップＳ１８に移行する。ステップＳ１８では、添付された画像ファイルを記事の本文にイメージタグとして貼り付ける作業が実行される。次いで、ステップＳ１９に移行する。このステップＳ１９においては、記事の本文にメールの本文を追加する処理が実行される。一方、ステップＳ１７において、添付ファイルがないと判別された場合には、ステップＳ２０に移行する。このステップＳ２０においては、記事の本文にメールの本文をセットする処理が実行される。
【００１６】
次いで、ステップＳ２１に移行する。ステップＳ２１においては、ＨＴＭＬタグの「＜！--」と「--＞」を記事の本文から削除する処理が実行される。次いで、ステップＳ２２に移行して、ＵＲＬをＨＴＭＬリンクに変換する。次いで、ステップＳ２３に移行して、「▼詳しくはこちらが」があったら画像を表示するように変換する。次いで、ステップＳ２４に移行して、ブログサイト７に記事を登録する。
【００１７】
次に、ステップＳ１１における処理、すなわち、マルチパートデコード関数の呼び出し処理を図６を参照して詳細に説明する。まず、ステップＳ３１において、処理するパートがあるか否かが判別される。処理するパートがないと判別された場合にはそのまま終了する。これに対して、処理するパートがあると判別された場合には、ステップＳ３２に移行する。ステップＳ３２においては、パートの種類が「ｍｕｌｔｉｐａｒｔ」であるか否かが判別される。パートの種類が「ｍｕｌｔｉｐａｒｔ」であると判別された場合には、ステップＳ３３に移行する。ステップＳ３３においてはマルチパートデコード関数呼び出しが実行される。
【００１８】
ステップＳ３２において、パートの種類が「ｍｕｌｔｉｐａｒｔ」ではないと判別された場合には、ステップＳ３４に移行する。ステップＳ３４においては、パートの種類が「ｔｅｘｔ」であるか否かが判別される。パートの種類が「ｔｅｘｔ」であると判別された場合には、ステップＳ３５に移行して、本文の配列に追加保存する処理が実行される。これに対して、ステップＳ３４において、パートの種類が「ｔｅｘｔ」ではないと判別された場合には、ステップＳ３６に移行する。
【００１９】
上記ステップＳ３６においては、パートの種類が「ｉｍａｇｅ」であるか否かが判別される。パートの種類が「ｉｍａｇｅ」であると判別された場合には、ステップＳ３７に移行する。ステップＳ３７では処理する画像ファイルがあるか否かが半別される。処理する画像ファイルがあると判別された場合には、ステップＳ３８に移行する。ステップＳ３８においては、一時保存フォルダにパートのデータを保存する。次いで、ステップＳ３９に移行する。ステップＳ３９においては、画像の横幅が２５０以上か否かが判別される。画像の横幅が２５０以上であると判別された場合は、ステップＳ４０に移行して、画像ファイル保存フォルダに２５０ピクセル以下に縮小した画像ファイルを作成・保存する。そして。ステップＳ４１に移行する。
【００２０】
ステップＳ４１においては、画像ファイル保存フォルダに画像ファイルを保存する処理が実行される。ステップＳ３９において、画像の横幅が２５０以上ではないと判別された場合には、直接ステップＳ４１に移行されることになる。
尚、ステップＳ３６においてパートの種類が「ｉｍａｇｅ」ではないと判別された場合、ステップＳ３７において処理する画像ファイルがないと判別された場合には、ステップＳ３１に戻るものである。
【００２１】
以上の処理を実行することによりブログサイト７の掲載される商品・役務紹介データが作成されることになり、それがブログサイト７に掲載されることになる。その一例を図７に示す。この実施の形態の場合には、ブログサイト７が「ブログ型ショップ商品情報サイト」なる名称で展開される。そして、そこには複数の会員（ユーザ）の商品や役務を紹介する記事が記載されているものである。そして、商品や役務を購入する購入者はこのサイトにアクセスすることによりそれらの情報を得ることができるものである。
【００２２】
以上本実施の形態によると次のような効果を奏することができる。
まず、予め会員登録している複数の会員（ユーザ）が、管理者から予め提供されているソフトを利用して、自身の商品や役務を紹介するデータを作成して、それを
管理者のサーバ５に送信するだけで、後は、自動的に情報処理されてブログサイト７に掲載されることになり、ユーザにとっては極めて好都合である。すなわち、自身でホームページやブログを管理する煩雑さから開放されるとともに、必要な宣伝は管理者のブログサイトを使用して容易に行えるからである。
【００２３】
尚、本発明は前記一実施の形態に限定されるものではない。
例えば、前記一実施の形態では、管理者が管理しているブログサイトに自動的に掲載するようにした例を挙げたが、それ以外にも、  管理者が管理するホームページ、ユーザ毎に設けられたブログに掲載するようなことも想定される。
その他様々な変形例が考えられるものである。
【産業上の利用可能性】
【００２４】
本発明は、予め登録されている会員客が販売する商品や役務の内容を、例えば、管理者のブログ上に自動的に掲載して紹介することを可能にする商品・役務紹介システムに係り、特に、管理者が会員に予め提供するソフトに沿って会員が作成した商品・役務紹介データを管理者が受信することにより所定の情報処理が自動的になされて管理者のブログに自動的に掲載するとこを可能にしたものに関し、例えば、ある種のブログショッピングのサイトを提供するような場合に好適である。
【図面の簡単な説明】
【００２５】
【図１】本発明の一実施の形態を示す図で、システム全体の構成を示す機能ブロック図である。
【図２】本発明の一実施の形態を示す図で、会員側の端末の構成を示す機能ブロック図である。
【図３】本発明の一実施の形態を示す図で、管理者側のサーバの構成を示す機能ブロック図である。
【図４】本発明の一実施の形態を示す図で、システムの内容を説明するためのフローチャートである。
【図５】本発明の一実施の形態を示す図で、システムの内容を説明するためのフローチャートである。
【図６】本発明の一実施の形態を示す図で、システムの内容を説明するためのフローチャートである。
【図７】本発明の一実施の形態を示す図で、ブログの表示の一例を示す図である。
【符号の説明】
【００２６】
１  ユーザ端末
３  インタへーネット網
５  管理者のサーバ
７  ブログサイト
１１  ｔｘｔデータ作成部
１３  画像データ作成部
１５  送信ファイル作成部
２１  ルータ
２３  アクセス制御部
２５  データ解析サーバ
２７  受信ファイル読込部
２９  受信ファイル解析部
３１  受信ファイル変換部
３３  変換ファイル作成部
【図１】
2008257373.tif 000003
【図２】
2008257373.tif 000004
【図３】
2008257373.tif 000005
【図４】
2008257373.tif 000006
【図５】
2008257373.tif 000007
【図６】
2008257373.tif 000008
【図７】
2008257373.tif 000009